【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
肥満治療用の胃内装置において、
第１の構成から第２の構成へ再構成可能な胃内部材であって、前記第１の構成は、前記胃内部材を哺乳類の胃管腔の中へ導入できるほど十分に小さく、前記第２の構成は、前記胃内装置が前記哺乳類の幽門を通り抜けるのを防止できるほど十分に大きく、前記胃内部材は、間隔を空けて配置された複数の開口を備えている、胃内部材と、
近位端と遠位端を有する細長い部材であって、前記胃内部材の前記開口を縫うように通され、前記胃内部材は、前記第２の構成にあるとき、前記細長い部材の前記近位端と前記遠位端の間に配置されている、細長い部材と、
前記胃内装置を前記細長い部材に沿って固定するために、前記細長い部材の前記遠位端に係合されている遠位側ストッパと、
前記胃内部材を前記細長い部材に沿って係止するために、前記細長い部材の前記近位端に係合されている近位側ストッパと、
前記近位側ストッパを、前記細長い部材に沿って前記遠位側ストッパに向けて動かすためのシンチング部材であって、前記近位側ストッパに係合されているシンチング部材と、を備えている胃内装置。
【請求項２】
前記細長い部材の前記近位端に係合されているコネクタを更に備えており、前記コネクタは、前記シンチング部材が前記近位側ストッパから送られてきたときに受け入れることができるように作られたルーメンを備えている、請求項１に記載の胃内装置。
【請求項３】
前記近位側ストッパは、前記シンチング部材が前記コネクタから送られてきたときにこれを受け入れることができるように作られたルーメンを備えている、請求項２に記載の胃内装置。
【請求項４】
前記胃管腔の中に送り込まれると、前記胃内部材を固定するために、前記遠位側ストッパに係合される第２遠位側ストッパを更に備えている、請求項１に記載の胃内装置。
【請求項５】
前記胃管腔の中に送り込まれると、前記胃内部材を固定するために、前記近位側ストッパに係合される第２近位側ストッパを更に備えている、請求項１に記載の胃内装置。
【請求項６】
前記シンチング部材は、前記胃管腔の中に送り込まれると、前記胃内部材を固定するために、前記第２近位側ストッパに係合される、請求項５に記載の胃内装置。
【請求項７】
前記細長い部材は、前記細長い部材の前記近位端と前記遠位端の間に配置された複数のリブを備えており、前記リブは、前記近位側ストッパが前記細長い部材に対して近位方向に動くのを防止する、請求項１に記載の胃内装置。
【請求項８】
前記シンチング部材は、前記遠位側ストッパに取り付けられており、前記遠位側ストッパは、前記シンチング部材が前記細長い部材のルーメンを通して送られてきたときにこれを受け入れるためのルーメンを備えている、請求項１に記載の胃内装置。
【請求項９】
前記細長い部材の前記遠位端に沿って配置されている係止部材を更に備えており、前記係止部材は、前記シンチング部材が前記細長い部材の前記ルーメンを通して送られてきたときにこれを受け入れるためのルーメンを備えている、請求項８に記載の胃内装置。
【請求項１０】
前記近位側ストッパは、前記シンチング部材が前記細長い部材の前記ルーメンを通して送られてきたときにこれを受け入れるためのルーメンを備えている、請求項８に記載の胃内装置。
【請求項１１】
前記胃内部材を固定するとき、前記シンチング部材を近位方向に引いて、前記シンチング部材を前記細長い部材の前記ルーメンから取り出すことによって、前記遠位側ストッパを前記係止部材に係合させる、請求項９に記載の胃内装置。
【請求項１２】
前記胃内部材を固定するとき、前記シンチング部材を近位方向に引いて、前記シンチング部材を前記細長い部材の前記ルーメンから取り出すことによって、前記近位側ストッパを前記細長い部材に係合させる、請求項９に記載の胃内装置。
【請求項１３】
前記胃内部材は、前記胃内部材の質量を減らすために、前記胃内部材の表面に沿って伸張する複数の開口を備えている、請求項１に記載の胃内装置。
【請求項１４】
前記胃内部材は、折れ曲がった縁を備えており、前記折れ曲がった縁は、前記胃管腔の中へ前記胃内部材を送り込み易くするためにローラー機構と係合する、請求項１に記載の胃内装置。
【請求項１５】
前記胃内部材は、折畳まれて複数の環を形成している材料の連続する条片を備えており、前記複数の環は、一体に結合されると、第２の構成の蝶又は蝶ネクタイを連想させる形状を形成する、請求項１に記載の胃内装置。
【請求項１６】
肥満を治療するための胃内装置において、
第１の構成から第２の構成へ再構成可能な胃内部材であって、前記第１の構成は、前記胃内部材を哺乳類の胃管腔の中へ導入できるほど十分に小さく、前記第２の構成は、前記胃内装置が前記哺乳類の幽門を通り抜けるのを防止できるほど十分に大きく、前記胃内部材は、間隔を空けて配置された複数の開口を備えている、胃内部材と、
近位端と遠位端を有するシンチング部材であって、前記シンチング部材は、前記胃内部材の前記開口を縫うように通され、前記胃内部材は、前記シンチング部材の前記近位端と前記遠位端の間に配置されている、シンチング部材と、
前記胃内部材を前記シンチング部材に沿って固定するために、前記シンチング部材の前記遠位端に係合されている遠位側ストッパと、
前記胃内部材を前記シンチング部材に沿って係止するために、前記シンチング部材の前記近位端に係合されている近位側ストッパと、を備えている胃内装置。
【請求項１７】
前記遠位側ストッパは、前記シンチング部材を受け入れるための少なくとも１つのルーメンを備えている、請求項１６に記載の胃内装置。
【請求項１８】
前記近位側ストッパは、前記シンチング部材を受けいれるための少なくとも１つのルーメンを備えている、請求項１６に記載の胃内装置。
【請求項１９】
前記シンチング部材を受け入れることができるように作られている少なくとも１つのルーメンを備えている第２近位側ストッパを更に備えている、請求項１６に記載の胃内装置。
【請求項２０】
前記胃内部材を固定するとき、前記シンチング部材を、近位方向に、前記第２近位側ストッパの前記少なくとも１つのルーメンを通して引くことによって、前記第２近位側ストッパを前記近位側ストッパに係合させる、請求項１９に記載の胃内装置。
【請求項２１】
前記第２近位側ストッパは、近位端と遠位端を備えており、前記近位端は第２シンチング部材に係合され、前記遠位端は前記シンチング部材に係合されている、請求項１９に記載の胃内装置。
【請求項２２】
前記遠位側ストッパは、ワイヤガイドを固定するための少なくとも１つのルーメンを備えている、請求項１６に記載の胃内装置。
【請求項２３】
前記近位側ストッパの前記少なくとも１つのルーメンは、第１直径を有する第１ルーメンと、第２直径を有する第２ルーメンを備えており、前記第１直径は、前記第２近位側ストッパを前記近位側ストッパの前記第２ルーメン内に固定するため、前記第２直径より小さくなっている、請求項１８に記載の胃内装置。
【請求項２４】
前記胃内部材を固定するとき、前記ルーメンの前記第１直径は、前記第２近位側ストッパが遠位方向に前記ルーメンを通るのを許容し、且つ前記第２近位側ストッパが近位方向に前記ルーメンを通るのを防止する、請求項２３に記載の胃内装置。
【請求項２５】
前記胃内部材は、折畳まれて複数の環を形成している材料の連続する条片を備えており、前記複数の環は、一体に接続されて、第２の構成の蝶又は蝶ネクタイを連想させる形状を形成する、請求項１６に記載の胃内装置。